【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
複数視点から撮影されたビデオストリームをH.264 AVC/MVCによって符号化して得られた基本ストリームと拡張ストリームが所定のデータ単位であるエクステント単位でインターリーブして記録されている記録媒体から、前記基本ストリームに付随する情報であり、前記基本ストリームを構成するエクステントの数と各エクステントの前記基本ストリームの中での開始パケット番号とを有する開始位置情報を含む第１のクリップ情報と、前記拡張ストリームに付随する情報であり、前記拡張ストリームを構成するエクステントの数と各エクステントの前記拡張ストリームの中での開始パケット番号とを有する開始位置情報を含む第２のクリップ情報を読み出し、前記記録媒体から、インタリーブされた前記基本ストリームと前記拡張ストリームを読み出す読み出し部と、
前記第１のクリップ情報に含まれる前記開始位置情報と前記第２のクリップ情報に含まれる前記開始位置情報を用いて、前記基本ストリームを構成するエクステントと前記拡張ストリームを構成するエクステントを分離する分離部と、
分離されたエクステントから構成される前記基本ストリームと前記拡張ストリームを復号する復号部と
を備える再生装置。
【請求項２】
前記分離部は、
前記第１のクリップ情報に含まれる前記開始位置情報が有する連続する２つの前記開始パケット番号のうちの後の前記開始パケット番号から前の前記開始パケット番号を引いた数に相当するパケットのデータを、前記基本ストリームを構成する、前の前記開始パケット番号により開始位置が示されるエクステントとして分離し、
前記第２のクリップ情報に含まれる前記開始位置情報が有する連続する２つの前記開始パケット番号のうちの後の前記開始パケット番号から前の前記開始パケット番号を引いた数に相当するパケットのデータを、前記拡張ストリームを構成する、前の前記開始パケット番号により開始位置が示されるエクステントとして分離する
請求項１に記載の再生装置。
【請求項３】
前記分離部は、
前記読み出し部により読み出された前記基本ストリームと前記拡張ストリームのうち、先頭から、前記第２のクリップ情報に含まれる前記開始位置情報が有する２つ目の前記開始パケット番号に相当する位置までのデータを前記拡張ストリームを構成する先頭のエクステントとして分離し、
前記拡張ストリームを構成する先頭のエクステントの終わりから、前記第１のクリップ情報に含まれる前記開始位置情報が有する２つ目の前記開始パケット番号に相当する位置までのデータを前記基本ストリームを構成する先頭のエクステントとして分離する
請求項１または２に記載の再生装置。
【請求項４】
前記エクステントは、前記記録媒体上に連続配置されるソースパケットの集まりである
請求項１乃至３のいずれかに記載の再生装置。
【請求項５】
前記第１のクリップ情報が有するエクステントの数と、前記第２のクリップ情報が有するエクステントの数は、等しい数である
請求項１乃至４のいずれかに記載の再生装置。
【請求項６】
前記第１のクリップ情報は、さらに、前記基本ストリームを構成するソースパケットの総数の情報を有し、
前記第２のクリップ情報は、さらに、前記拡張ストリームを構成するソースパケットの総数の情報を有する
請求項１乃至５のいずれかに記載の再生装置。
【請求項７】
前記第１および第２のクリップ情報が有するエクステントの数を(n+1)とし、
前記基本ストリームを構成するエクステントをB[i](i=0〜n)、前記基本ストリームの先頭からk番目のエクステントをB[k]と表し、
前記拡張ストリームを構成するエクステントをD[i](i=0〜n)、前記拡張ストリームの先頭からk番目のエクステントをD[k]と表し、
B[k]の開始パケット番号を、SPN_chunk_start_1[k]と表し、
D[k]の開始パケット番号を、SPN_chunk_start_2[k]と表し、
前記基本ストリームを構成するソースパケットの総数を、number_of_source_packets1と表し、
前記拡張ストリームを構成するソースパケットの総数を、number_of_source_packets2と表すとき、
前記分離部は、
k=0〜(n-1)について、B[k]を構成するソースパケットの数を、(SPN_chunk_start_1[k+1] - SPN_chunk_start_1[k])によって計算し、
k=0〜(n-1)について、D[k]を構成するソースパケットの数を、(SPN_chunk_start_2[k+1] - SPN_chunk_start_2[k])によって計算し、
B[n]を構成するソースパケットの数を、(number_of_source_packets1 - SPN_chunk_start_1[n])によって計算し、
D[n]を構成するソースパケットの数を、(number_of_source_packets2 - SPN_chunk_start_2[n])によって計算する
請求項６に記載の再生装置。
【請求項８】
B[i]とD[i]について、iの値が同じ組のエクステントは同じ再生時間を有する
請求項７に記載の再生装置。
【請求項９】
複数視点から撮影されたビデオストリームをH.264 AVC/MVCによって符号化して得られた基本ストリームと拡張ストリームが所定のデータ単位であるエクステント単位でインターリーブして記録されている記録媒体から、前記基本ストリームに付随する情報であり、前記基本ストリームを構成するエクステントの数と各エクステントの前記基本ストリームの中での開始パケット番号とを有する開始位置情報を含む第１のクリップ情報と、前記拡張ストリームに付随する情報であり、前記拡張ストリームを構成するエクステントの数と各エクステントの前記拡張ストリームの中での開始パケット番号とを有する開始位置情報を含む第２のクリップ情報を読み出し、
前記記録媒体から、インタリーブされた前記基本ストリームと前記拡張ストリームを読み出し、
前記第１のクリップ情報に含まれる前記開始位置情報と前記第２のクリップ情報に含まれる前記開始位置情報を用いて、前記基本ストリームを構成するエクステントと前記拡張ストリームを構成するエクステントを分離し、
分離したエクステントから構成される前記基本ストリームと前記拡張ストリームを復号する
ステップを含む再生方法。
【請求項１０】
複数視点から撮影されたビデオストリームをH.264 AVC/MVCによって符号化して得られた基本ストリームと拡張ストリームが所定のデータ単位であるエクステント単位でインターリーブして記録され、
前記基本ストリームに付随する情報であり、前記基本ストリームを構成するエクステントの数と各エクステントの前記基本ストリームの中での開始パケット番号とを有する開始位置情報を含み、前記基本ストリームを構成するエクステントを分離し、復号するのに用いるように再生装置を機能させる第１のクリップ情報と、
前記拡張ストリームに付随する情報であり、前記拡張ストリームを構成するエクステントの数と各エクステントの前記拡張ストリームの中での開始パケット番号とを有する開始位置情報を含み、前記拡張ストリームを構成するエクステントを分離し、復号するのに用いるように再生装置を機能させる第２のクリップ情報と
が記録された記録媒体。
【請求項１１】
複数視点から撮影されたビデオストリームをH.264 AVC/MVCによって符号化し、
符号化して得られた基本ストリームと拡張ストリームを所定のデータ単位であるエクステント単位でインターリーブして記録し、
前記基本ストリームに付随する情報であり、前記基本ストリームを構成するエクステントの数と各エクステントの前記基本ストリームの中での開始パケット番号とを有する開始位置情報を含み、前記基本ストリームを構成するエクステントを分離し、復号するのに用いるように再生装置を機能させる第１のクリップ情報と、
前記拡張ストリームに付随する情報であり、前記拡張ストリームを構成するエクステントの数と各エクステントの前記拡張ストリームの中での開始パケット番号とを有する開始位置情報を含み、前記拡張ストリームを構成するエクステントを分離し、復号するのに用いるように再生装置を機能させる第２のクリップ情報と
を記録する
ステップを含む記録方法。
【手続補正２】
【補正対象書類名】明細書
【補正対象項目名】発明の名称
【補正方法】変更
【補正の内容】
【発明の名称】再生装置、再生方法、記録媒体、および記録方法
【手続補正３】
【補正対象書類名】明細書
【補正対象項目名】０００１
【補正方法】変更
【補正の内容】
【０００１】
本発明は、再生装置、再生方法、記録媒体、および記録方法に関し、特に、記録媒体から、3D(Dimension)画像のコンテンツを適切に再生することができるようにした再生装置、再生方法、記録媒体、および記録方法に関する。
【手続補正４】
【補正対象書類名】明細書
【補正対象項目名】００１１
【補正方法】変更
【補正の内容】
【００１１】
本技術の一側面の再生装置は、複数視点から撮影されたビデオストリームをH.264 AVC/MVCによって符号化して得られた基本ストリームと拡張ストリームが所定のデータ単位であるエクステント単位でインターリーブして記録されている記録媒体から、前記基本ストリームに付随する情報であり、前記基本ストリームを構成するエクステントの数と各エクステントの前記基本ストリームの中での開始パケット番号とを有する開始位置情報を含む第１のクリップ情報と、前記拡張ストリームに付随する情報であり、前記拡張ストリームを構成するエクステントの数と各エクステントの前記拡張ストリームの中での開始パケット番号とを有する開始位置情報を含む第２のクリップ情報を読み出し、前記記録媒体から、インタリーブされた前記基本ストリームと前記拡張ストリームを読み出す読み出し部と、前記第１のクリップ情報に含まれる前記開始位置情報と前記第２のクリップ情報に含まれる前記開始位置情報を用いて、前記基本ストリームを構成するエクステントと前記拡張ストリームを構成するエクステントを分離する分離部と、分離されたエクステントから構成される前記基本ストリームと前記拡張ストリームを復号する復号部とを備える。
【手続補正５】
【補正対象書類名】明細書
【補正対象項目名】００１２
【補正方法】変更
【補正の内容】
【００１２】
前記分離部には、前記第１のクリップ情報に含まれる前記開始位置情報が有する連続する２つの前記開始パケット番号のうちの後の前記開始パケット番号から前の前記開始パケット番号を引いた数に相当するパケットのデータを、前記基本ストリームを構成する、前の前記開始パケット番号により開始位置が示されるエクステントとして分離させ、前記第２のクリップ情報に含まれる前記開始位置情報が有する連続する２つの前記開始パケット番号のうちの後の前記開始パケット番号から前の前記開始パケット番号を引いた数に相当するパケットのデータを、前記拡張ストリームを構成する、前の前記開始パケット番号により開始位置が示されるエクステントとして分離させることができる。
前記分離部には、前記読み出し部により読み出された前記基本ストリームと前記拡張ストリームのうち、先頭から、前記第２のクリップ情報に含まれる前記開始位置情報が有する２つ目の前記開始パケット番号に相当する位置までのデータを前記拡張ストリームを構成する先頭のエクステントとして分離させ、前記拡張ストリームを構成する先頭のエクステントの終わりから、前記第１のクリップ情報に含まれる前記開始位置情報が有する２つ目の前記開始パケット番号に相当する位置までのデータを前記基本ストリームを構成する先頭のエクステントとして分離させることができる。
前記エクステントは、前記記録媒体上に連続配置されるソースパケットの集まりであるようにすることができる。
【手続補正６】
【補正対象書類名】明細書
【補正対象項目名】００１３
【補正方法】変更
【補正の内容】
【００１３】
前記第１のクリップ情報が有するエクステントの数と、前記第２のクリップ情報が有するエクステントの数は、等しい数であるようにすることができる。
【手続補正７】
【補正対象書類名】明細書
【補正対象項目名】００１４
【補正方法】変更
【補正の内容】
【００１４】
前記第１のクリップ情報は、さらに、前記基本ストリームを構成するソースパケットの総数の情報を有し、前記第２のクリップ情報は、さらに、前記拡張ストリームを構成するソースパケットの総数の情報を有するようにすることができる。
【手続補正８】
【補正対象書類名】明細書
【補正対象項目名】００１５
【補正方法】変更
【補正の内容】
【００１５】
前記第１および第２のクリップ情報が有するエクステントの数を(n+1)とし、前記基本ストリームを構成するエクステントをB[i](i=0〜n)、前記基本ストリームの先頭からk番目のエクステントをB[k]と表し、前記拡張ストリームを構成するエクステントをD[i](i=0〜n)、前記拡張ストリームの先頭からk番目のエクステントをD[k]と表し、B[k]の開始パケット番号を、SPN_chunk_start_1[k]と表し、D[k]の開始パケット番号を、SPN_chunk_start_2[k]と表し、前記基本ストリームを構成するソースパケットの総数を、number_of_source_packets1と表し、前記拡張ストリームを構成するソースパケットの総数を、number_of_source_packets2と表すとき、前記分離部には、k=0〜(n-1)について、B[k]を構成するソースパケットの数を、(SPN_chunk_start_1[k+1] - SPN_chunk_start_1[k])によって計算させ、k=0〜(n-1)について、D[k]を構成するソースパケットの数を、(SPN_chunk_start_2[k+1] - SPN_chunk_start_2[k])によって計算させ、B[n]を構成するソースパケットの数を、(number_of_source_packets1 - SPN_chunk_start_1[n])によって計算させ、D[n]を構成するソースパケットの数を、(number_of_source_packets2 - SPN_chunk_start_2[n])によって計算させることができる。
【手続補正９】
【補正対象書類名】明細書
【補正対象項目名】００１６
【補正方法】変更
【補正の内容】
【００１６】
B[i]とD[i]について、iの値が同じ組のエクステントは同じ再生時間を有するようにすることができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】